(57)【要約】      （修正有）【課題】主として２枚の食パンの間に具を挟み、十辺を圧着した後、耳の部分を着ろ落とした密閉式サンドイッチを、家庭で簡単に作る為の調理器具を提供する。【解決手段】通常サイズの食パンが乗せられる最小限のサイズの皿１に、耳部よりも若干小さい範囲で環状の縦壁を設け、切断部とする。その内側に、幅１ｍｍから１０ｍｍの一定の高さの平面部分を設け、圧着部分にすると共に、圧着面から皿の上面までを滑らかな曲面で繋ぐ。上型は、下型の環状縦壁部分から内側の部分を上下反転した形状とし、切断部は、頂点を曲面化、または平面化した△形状の、傾斜面と傾斜面で押しつぶしながら挟み、切断する。上型の一辺にはステーを設け、下向きの位置決め突起を装置し、その真下の位置で、下型の上面に、上型の突起が嵌合する中空の突起を設ける。【選択図】図２
0003162389.tif 000002
【実用新案登録請求の範囲】
【請求項１】
上型と下型の２つの樹脂成形品で構成され、２枚の食パンの間に具材を置いて上下から挟み、上から圧力を加える事で、周囲の圧着と耳部の切断を同時に行う密閉式サンドイッチ成形器具において、以下の様に装置した事を特徴とする、密閉式サンドイッチ成形器具。
１，下型は、一般的なスライスした食パンを乗せる最適なサイズ、即ち、辺の長さが１００ｍｍから１５０ｍｍの略正方形または長方形の皿状であり、４ヶ所の角部は面取り形状、または滑らかな曲線で成形される。
２，下型の周囲より内側に向かって、１０ｍｍから３０ｍｍの位置に、高さ１ｍｍから２０ｍｍで一定の縦壁を環状に設け、縦壁の上部は断面が略△形状となる様に成形すると共に、その頂点部は、危険な刃とならない様に、半径０．０５ｍｍから１ｍｍの円弧とするか、または、幅０．０５ｍｍから幅２ｍｍ程度の環状の平面部を設ける。
３，上記環状の略△形状部分の内側で、略△形状の頂点よりも１ｍｍから１０ｍｍ低い位置に、環状で、高さが一定で、幅が１ｍｍから１０ｍｍの平面部を設ける。
尚、この平面部には、食パンの圧着を確実にする為の、細かい突起や、一本または複数の細いリブを設けた構成も含む。
４，上記環状の平面部の内側は、滑らかな曲面で皿の上面と結ばれ、皿の中央部には、指が入る貫通孔、即ち、直径１０ｍｍ以上の貫通孔を設ける。
５，上型は、逆凹形の蓋状であり、上記２，から３，に記載した環状の形状を上下に反転した形状に近似し、環状の▽形状の外側傾斜面と、下型の△形状の内側傾斜面が、ほぼ全周において当接する様に構成する。尚、上型の外形寸法は、食パンの耳部よりも内側に収まる大きさとし、▽形状部分から外側に、０．５ｍｍから５ｍｍ程度大きくしたサイズとする。また、▽形状は、下型と当接する傾斜面を構成すれば、反対側は傾斜していない構成も含む。
６，△部と▽部の傾斜面が当接した状態で、環状の上型と下型の平面部は、ほぼ全周において、細かい突起が触れ合うか、または０．１ｍｍから３ｍｍの隙間ができる寸法に装置する。即ち、下型の上に食パンを置き、その略中央部にハムやチーズなどの食材を乗せ、その上に食パンを置き、上型を乗せて上から押した時、平面部で挟まれた２枚の食パンが圧着され、△形状部と、▽形状部の傾斜面で挟まれた部分で、食パンが切断される位置関係に装置する。
７，上型の中央部には、指が入る貫通孔、即ち、直径１０ｍｍ以上の貫通孔を設ける。尚、この貫通孔は、ハート形状などの意匠形状に成形した構成も含む。
８，下型の上面で、食パンを乗せた際、耳部より外側となる略平面部に、高さ５ｍｍから２０ｍｍの、上から見て略長方形または略円形または略長円形で、中空の突起を設ける。尚、この突起は、長方形の下型の４辺の内、１辺のみに設ける。
９，上型の４辺の内の１辺に、平板上のステーを設け、このステーから下向きに、中空で下型の中空突起と略同形状の突起を装置し、この突起は、上記６，の状態で、上記８，の突起と嵌合する様に構成する。また、この上型の突起は、先端が細くなる様にテーパー形状とし、または先端部分を略球状の曲面にする、または面取り形状とする事で、下型の突起の孔と、位置を合わせる事が極めて容易で、かつ、停止位置まで挿入した時は、平面状の上型の位置が、確実に特定される様に装置する。
１０，上型と下型の突起は、１個から５個の範囲で常に同数とし、突起は、角断面のパイプの様に、完全に貫通している場合も含む。また、突起部が変形するのを防ぐ為、突起の周囲に、変形防止の補強リブを追加した構成も含む。
１１，下型の周囲の平面部には、平面の変形防止と、切り落とした食パンの耳部を受ける為、僅かな凸形状、または僅かな凹形状を設ける。尚、環状のリブを立てる構成や、放射状のリブを設けて補強する構成も含む。
【考案の詳細な説明】
【技術分野】
【０００１】本考案は、主として２枚の食パンの間に具を挟み、周辺を圧着した後、耳の部分を切り落とした密閉式サンドイッチを、家庭で簡単に作る為の調理器具に関する。
【背景技術】
【０００２】類似機能を発揮する技術・製品は存在するが、製造コストが高く、利便性も悪かった。
【先行技術文献】
【特許文献】
【０００３】
【特許文献１】  登録実用新案第３１４６６００号
【非特許文献】
【０００４】
【非特許文献１】  なし
【考案の概要】
【考案が解決しようとする課題】
【０００５】登録実用新案第３１４６６００号（以下、先行技術と呼ぶ）によれば、密閉式のサンドイッチを作れるとの記載が有るが、第一の容器も、第２の容器も、両方とも成形前の食パンより大きい為、成形作業中に、食パンを見る事ができない。従って、上から手で押さえて成形する際、力が弱かった場合は完全に圧着されておらず、また、周囲の耳が完全に切り取られない不具合が発生した。その為、先行技術の商品では、力加減が難しく、一度押さえた後、第一の容器を持ち上げて内部を確認し、再度、第一の容器を被せて上から押さえる必要が有り、２度手間や３度手間を強いられ、さらに、裁断用の刃は、洗う際に手を切り易く、危険であった。
また、２つの容器が全て食パンより大きく、また、縦壁も多い為、樹脂成形で製品を作る場合、原料となる樹脂の使用量が増え、コストが高くなってしまう欠点が有った。
そこで、以下の全ての条件を満足する技術が求められており、これらの解決が課題である。
▲１▼樹脂材料の使用量は、必要最小限で、密閉式サンドイッチが確実に作れる事。
▲２▼食パンを圧着成形時に、圧着及び切り抜きの状態が、目視確認できる事。
▲３▼まな板など、他の調理器具を使用せずに、密閉式サンドイッチが作れる事。
▲４▼切断された後の食パン周囲の耳部が、成形器具本体から脱落せず、衛生的な事。
▲５▼食パンを切断する装置は、刃になっておらず、手を切る危険が無い事。
▲６▼万が一、食パンの耳部が完全に切断できなかった場合、上から押し付ける切断作業中に、耳部を持って、横方向や上方向に引きちぎる作業が可能な事。
▲７▼圧着面に対して、ほぼ上下対象形状に膨らんだ、密閉式サンドイッチが作れる事。
【課題を解決する為の手段】
【０００６】通常サイズの食パンが乗せられる最小限のサイズの皿に、耳部よりも若干小さい範囲で環状の縦壁を設け、切断部とする。その内側に、幅１ｍｍから１０ｍｍの一定の高さの平面部分を設け、圧着装置にすると共に、圧着面から皿の上面までを滑らかな曲面で繋ぐ。
上型は、下型の環状縦壁部分から内側の部分を上下反転した形状とし、切断部は、頂点を曲面化、または平面化した△形状の、傾斜面と傾斜面で押しつぶしながら挟み、切断する。
上型の一辺にはステーを設け、下向きの位置決め突起を装置し、その真下の位置で、下型の上面に、上型の突起が嵌合する中空の突起を設ける。
【考案の効果】
【０００７】本考案によれば、原料樹脂の使用量は最小限となり、切り刃による危険は無く、作業中に切り取れなかった食パンの耳部を引きちぎる事が可能で、耳部が皿から外に落ちる事も無い。
上下の型は、必要最小限の位置決め装置によって、常に所定の位置で嵌合され、耳部は、△形状部と▽形状部の傾斜面で、押しつぶしながら確実に切断できる。
また、本考案によって作られる密閉式サンドイッチは、圧着面に対して、ほぼ上下対象に成形される為、前述の『考案が解決しようとする課題▲１▼〜▲７▼』を、全て解決できる。
【図面の簡単な説明】
【０００８】
【図１】本考案品の上面図であり、上型と下型を組み合わせた状態を表す。
【図２】本考案品の上面図中央縦断面であり、上型と下型を組み合わせた状態を表す。
【図３】図２において、上型のみを表す。
【図４】図２において、下型のみを表す。
【図５】本考案品の位置決め部の断面図であり、組み合わせ状態を表す。
【図６】本考案品の、圧着及び切断部の詳細を表す。
【考案を実施するための形態】
【０００９】スライスした食パンよりも若干大きなサイズの皿状の下型に、環状の突起を設け、圧着用の平面部と、切断用の傾斜面を設ける。
食パンの耳部よりも小さく、蓋状の上型に、下向きの環状の突起を設け、下型と同様に圧着用の平面部と、切断用の傾斜部を設ける。
平面の一辺には、上下の型の位置決め用に、嵌合する突起を設ける。
上下の型を組み合わせた状態で、内部には密閉式サンドイッチが入る空間を設ける。
【実施例】
【００１０】以下、図１〜図６及び、図に付与した番号に沿って、本考案品の実施例の説明をする。
１は、本考案の下型であり、スライスした食パンより若干大きな皿状で、中央部には円形の貫通孔４が設けられている。２は、本考案の上型であり、食パンの耳部よりも若干小さい蓋状であり、３は上型２の中央部に設けられたハート型の貫通孔である。上型も、下型も、合成樹脂による成形品である。
６は、下型１上の所定の位置に、食パンを置いた時、耳部よりも僅かに外側の位置に設けられた、上型と下型の位置決め装置であり、上下の型が嵌合している状態を指す。即ち、下型の凹部に、上型の下向き凸部が嵌合している状態を表す。５は、上型の一辺の側面に設けられたステーで、下向きの突起を支える為、蓋状の本体に一体成形される。
図１は、以上の様に上下の型を嵌合した状態を、上から見た図である。【００１１】７は上型の下面に、食パンの耳部の内側の大きさに合わせて装置された、環状の傾斜部で、１０は、同様に下型に設けられた頭部を丸めた△形状で、図６に示す様に当接し、間に挟んだ食パンの耳部の内側を切断する。８は、上型の傾斜面７の内側に設けられた環状の平面部で、１１は下型に設けられた同様の平面部であり、８と１１に挟まれた２枚の食パンは、圧着される。また、上型と下型の間は、サンドイッチが入る所定の空間が確保されている。
尚、８と１１の平面部には、図６の様に環状の小突起を設ければ、より食パンが密着し易くなる。
１３は、下型２の周縁の平面部であるが、強度を増加し、切り取った耳部を受ける為、僅かに凸状に成形した部分であり、１４は、ステー５の変形を防ぐ補強リブである。【００１２】以上の様に構成された本考案品の下型１の上に、スライスした食パンを置き、耳部の内側を、１０の環状突起に合わせる。その上にハムやチーズなどの具材を置き、さらにスライスした食パンを置く。次に下型２の一端に装置された角パイプ状の突起１２に、下向きの突起９を合わせて上型２を置き、そのまま上から上型を押せば、密閉式サンドイッチが完成し、切り取られた耳部は、１３の上に残る。
完成したサンドイッチが、上型や下型に張り付いてしまった場合は、３及び４の貫通孔からサンドイッチを押せば、簡単に取り出す事ができる。
上型を下型に合わせる際、先行技術の構成では、嵌め合わせる上下の凹凸が見えない為、嵌める事が難しいが、本考案では図３の９に示す通り、下向き突起が先端の細いテーパー形状になっている為、簡単に１２と合わせる事が可能で、そのまま上から押し付ければ、６の通り所定の位置に収まり、７と１０がしっかりと当接して、確実に食パンの切断ができる。
尚、請求項１に記載した各部の寸法は、本考案が課題を解決する為に重要な寸法であり、この寸法から外れたサイズにすると、食パンが上手くセットできず、本来の機能を発揮できない。【００１３】万が一、上から押す力が不足して切断が不完全だった場合は、上型が小さく、食パンの耳部が上から見えているので、耳部を持って引きちぎる事が可能で、先行技術に比べて遥かに利便性が高い。また、切断された耳部は、１３の上に残るので衛生的であり、使用後に洗う時も１０の先端が丸めてあり、切り刃では無いので、極めて安全である。
本考案は、密閉式サンドイッチを作る為に必要十分な機能を確保し、無駄を排除してある為、材料の樹脂の使用量を最小限にする事が可能で、コストダウンに貢献する。
即ち、本考案の実施例によれば、未解決だった本考案の課題を、全て解決する事ができる。
【符号の説明】
【００１４】  １，本考案の下型で、スライスした食パンより若干大きな皿状である
２，本考案品の上型で、スライスした食パンの耳部より小さな蓋状である
３，上型に設けられた、ハート型の貫通孔
４，下型に設けられた、円形の貫通孔
５，上型に一体成形された、突起を支えるステー
６，上型と下型の位置決め装置が、嵌合している状態
７，上型に設けられた、食パン切断用の環状傾斜面
８，上型に設けられた、食パン圧着用の環状平面
９，上型に設けられた、下向きの位置決め用突起
１０，下型に設けられた、食パン切断用の環状傾斜面
１１，下型に設けられた、食パン圧着用の環状平面
１２，下型に設けられた、上向きの位置決め用突起で、中空である
１３，下型の平面部に設けた、補強用の凸部
１４，ステーを補強する為のリブ
【図１】
0003162389.tif 000003
【図２】
0003162389.tif 000004
【図３】
0003162389.tif 000005
【図４】
0003162389.tif 000006
【図５】
0003162389.tif 000007
【図６】
0003162389.tif 000008